(57)【特許請求の範囲】
【請求項１】
筐体表面に設置され、該筐体表面に対して略平行な平面に沿って略水平方向に変位し、かつ前記筐体表面に対して略垂直方向に変位する第１の操作手段と、前記略平行な平面にＸ軸とＹ軸との直交座標を設定した場合、前記直交座標における原点を基準としてＸＹ方向および該ＸＹ方向に対して斜め方向への前記第１の操作手段の変位を検出する変位検出手段と、該変位検出手段により検出された前記第１の操作手段の変位に基づいて、水平方向検出信号および垂直方向検出信号を出力する信号出力手段と、を備え、前記信号出力手段により出力された前記水平方向検出信号により移動対象の移動制御を行い、前記垂直方向検出信号により所定の情報入力制御を行う
ことを特徴とする入力装置。
【請求項２】
前記変位検出手段は、前記原点を基準とした前記ＸＹ方向および該ＸＹ方向に対して斜め方向に設けたセンサにより前記第１の操作手段の前記略水平方向への変位を検出することを特徴とする請求項１記載の入力装置。
【請求項３】
前記第１の操作手段は、前記略水平方向へ変位する部位と前記略垂直方向へ変位する部位とを一体的に有することを特徴とする請求項１または２記載の入力装置。
【請求項４】
前記第１の操作手段は、前記略水平方向へ変位する部位と前記略垂直方向へ変位する部位とを有し、前記略水平方向へ変位する部位と前記略垂直方向へ変位する部位とは、互いに独立して変位することを特徴とする請求項１または２記載の入力装置。
【請求項５】
前記変位検出手段は、前記略平行な平面上に前記原点を基準にして複数方向ごとにそれぞれ設置され、前記第１の操作手段による接触に基づいて、前記第１の操作手段の略水平方向への変位を検出することを特徴とする請求項１から４のいずれか１項に記載の入力装置。
【請求項６】
前記筐体表面に設置され、互いに独立して前記筐体表面に対して略垂直方向へ変位する複数の部位からなる第２の操作手段を有することを特徴とする請求項１から５のいずれか１項に記載の入力装置。
【請求項７】
前記変位検出手段は、水平方向における変位を検出する水平方向センサと、垂直方向における変位を検出する垂直方向センサとからなり、当該垂直方向センサは、前記第２の操作手段による略垂直方向への変位を検出し、前記信号出力手段は、前記垂直方向センサより検出された前記第２の操作手段の変位に基づいて、所定の検出信号を出力し、前記水平方向センサは、該所定の検出信号に基づいて、前記第１の操作手段による接触を検出するか否かを決定することを特徴とする請求項６記載の入力装置。
【請求項８】
前記第１の操作手段に対して略水平方向への力が加わっていない場合、前記第１の操作手段を前記原点に復帰させる原点復帰手段を有することを特徴とする請求項１から７のいずれか１項に記載の入力装置。
【請求項９】
前記原点復帰手段は、前記第１の操作手段に接着された弾性体の弾性力を用いて、前記第１の操作手段を前記原点復帰させることを特徴とする請求項８記載の入力装置。
【請求項１０】
筐体表面に設置され、該筐体表面に対して略平行な平面に沿って略水平方向に変位し、かつ前記筐体表面に対して略垂直方向に変位する第１の操作手段と、前記略平行な平面にＸ軸とＹ軸との直交座標を設定した場合、前記直交座標における原点を基準としてＸＹ方向および該ＸＹ方向に対して斜め方向への前記第１の操作手段の変位を検出する変位検出手段と、情報を画面表示する表示手段と、前記変位検出手段により検出された前記第１の操作手段の前記水平方向への変位に基づいて、移動対象の移動制御を行い、前記第１の操作手段の前記垂直方向への変位に基づいて、所定の情報入力制御を行う、制御手段と、を有することを特徴とする入力装置を備えた電子装置。
【請求項１１】
前記変位検出手段は、前記原点を基準とした前記ＸＹ方向および該ＸＹ方向に対して斜め方向に設けたセンサにより前記第１の操作手段の前記略水平方向への変位を検出することを特徴とする請求項１０記載の入力装置を備えた電子装置。
【請求項１２】
前記第１の操作手段は、前記略水平方向へ変位する部位と前記略垂直方向へ変位する部位とを一体的に有することを特徴とする請求項１０または１１記載の入力装置を備えた電子装置。
【請求項１３】
前記第１の操作手段は、前記略水平方向へ変位する部位と前記略垂直方向へ変位する部位とを有し、前記略水平方向へ変位する部位と前記略垂直方向へ変位する部位とは、互いに独立して変位することを特徴とする請求項１０または１１記載の入力装置を備えた電子装置。
【請求項１４】
前記変位検出手段は、前記略平行な平面上に前記原点を基準にして複数方向ごとにそれぞれ設置され、前記第１の操作手段による接触に基づいて、前記第１の操作手段の略水平方向への変位を検出することを特徴とする請求項１０から１３のいずれか１項に記載の入力装置を備えた電子装置。
【請求項１５】
前記制御手段は、前記変位検出手段により検出された前記第１の操作手段の変位に基づいて、前記移動対象の移動速度を決定することを特徴とする請求項１４記載の入力装置を備えた電子装置。
【請求項１６】
前記筐体表面に設置され、互いに独立して前記筐体表面に対して略垂直方向へ変位する複数の部位からなる第２の操作手段を有することを特徴とする請求項１０から１５のいずれか１項に記載の入力装置を備えた電子装置。
【請求項１７】
前記制御手段は、前記移動対象を前記表示手段に表示されているカーソルとした場合、前記第１の操作手段の略水平方向への変位あるいは前記第２の操作手段の略垂直方向への変位に基づいて、前記カーソルを前記表示手段上の任意の方向に移動させ、前記第１の操作手段あるいは前記第２の操作手段の略垂直方向への変位に基づいて、前記カーソルにより選択されている前記表示手段上の情報の入力を行うことを特徴とする請求項１６記載の入力装置を備えた電子装置。
【請求項１８】
前記制御手段は、前記移動対象を前記表示手段に表示されている画面全体とした場合、前記第１の操作手段の略水平方向への変位あるいは前記第２の操作手段の略垂直方向への変位に基づいて、前記画面全体を任意の方向にスクロールさせることを特徴とする請求項１６または１７記載の入力装置を備えた電子装置。
【請求項１９】
前記制御手段は、前記第１の操作手段の略水平方向への変位あるいは前記第２の操作手段の略垂直方向への変位に基づいて、前記表示手段に表示される画面情報を切り替えることを特徴とする請求項１６から１８のいずれか１項に記載の入力装置を備えた電子装置。
【請求項２０】
前記変位検出手段は、水平方向における変位を検出する水平方向センサと、垂直方向における変位を検出する垂直方向センサとからなり、当該垂直方向センサは、前記第２の操作手段による略垂直方向への変位を検出し、前記水平方向センサは、前記垂直方向センサより検出された前記第２の操作手段の変位に基づいて出力された所定の検出信号に基づいて、前記第１の操作手段による接触を検出するか否かを決定することを特徴とする請求項１６から１９のいずれか１項に記載の入力装置を備えた電子装置。
【請求項２１】
前記制御手段は、前記表示手段に表示されている情報内容に基づいて、前記第１の操作手段と前記第２の操作手段とに対して、移動させる前記移動対象を割り当てることを特徴とする請求項１６から２０のいずれか１項に記載の入力装置を備えた電子装置。
【請求項２２】
前記第１の操作手段に対して略水平方向への力が加わっていない場合、前記第１の操作手段を前記原点に復帰させる原点復帰手段を有することを特徴とする請求項１０から２１のいずれか１項に記載の入力装置を備えた電子装置。
【請求項２３】
前記原点復帰手段は、前記第１の操作手段に接着された弾性体の弾性力を用いて、前記第１の操作手段を前記原点復帰させることを特徴とする請求項２２記載の入力装置を備えた電子装置。
【請求項２４】
筐体表面に設置され、該筐体表面上を変位する第１の操作部と、情報を画面表示する表示部と、を用いる入力方法であって、前記第１の操作部を前記筐体表面に対して略平行な平面に沿って略水平方向に変位させ、かつ前記筐体表面に対して略垂直方向に変位させる第１の操作工程と、前記略平行な平面にＸ軸とＹ軸との直交座標を設定した場合、前記直交座標における原点を基準としてＸＹ方向および該ＸＹ方向に対して斜め方向への前記第１の操作部の変位を検出する変位検出工程と、前記変位検出工程により検出された前記第１の操作部の前記水平方向への変位に基づいて、移動対象の移動制御を行い、前記第１の操作部の前記垂直方向への変位に基づいて、所定の情報入力制御を行う、制御工程と、を含むことを特徴とする入力方法。
【請求項２５】
前記変位検出工程は、前記原点を基準とした前記ＸＹ方向および該ＸＹ方向に対して斜め方向に設けたセンサにより前記第１の操作部の前記略水平方向への変位を検出することを特徴とする請求項２４記載の入力方法。
【請求項２６】
前記第１の操作工程は、前記第１の操作部における前記略水平方向へ変位する部位と前記略垂直方向へ変位する部位とをそれぞれ一体的に変位させることを特徴とする請求項２４または２５記載の入力方法。
【請求項２７】
前記第１の操作工程は、前記第１の操作部における前記略水平方向へ変位する部位と前記略垂直方向へ変位する部位とをそれぞれ独立して変位させることを特徴とする請求項２４または２５記載の入力方法。
【請求項２８】
前記変位検出工程は、前記略平行な平面上に前記原点を基準にして複数方向ごとに設置された変位検出部に対する前記第１の操作部による接触に基づいて、前記第１の操作部の略水平方向への変位を検出することを特徴とする請求項２４から２７のいずれか１項に記載の入力方法。
【請求項２９】
前記制御工程は、前記変位検出工程により検出された前記第１の操作部の変位に基づいて、前記移動対象の移動速度を決定することを特徴とする請求項２８記載の入力方法。
【請求項３０】
前記筐体表面に設置され、互いに独立して変位する複数の部位からなる第２の操作部を、前記筐体表面に対して略垂直方向に変位させる第２の操作工程を有することを特徴とする請求項２４から２９のいずれか１項に記載の入力方法。
【請求項３１】
前記制御工程は、前記移動対象を前記表示部に表示されているカーソルとした場合、前記第１の操作部の略水平方向への変位あるいは前記第２の操作部の略垂直方向への変位に基づいて、前記カーソルを前記表示工程上の任意の方向に移動させ、前記第１の操作部あるいは前記第２の操作部の略垂直方向への変位に基づいて、前記カーソルにより選択されている前記表示部上の情報の入力を行うことを特徴とする請求項３０記載の入力方法。
【請求項３２】
前記制御工程は、前記移動対象を前記表示部に表示されている画面全体とした場合、前記第１の操作部の略水平方向への変位あるいは前記第２の操作部の略垂直方向への変位に基づいて、前記画面全体を任意の方向にスクロールさせることを特徴とする請求項３０または３１記載の入力方法。
【請求項３３】
前記制御工程は、前記第１の操作部の略水平方向への変位あるいは前記第２の操作部の略垂直方向への変位に基づいて、前記表示部に表示される画面情報を切り替えることを特徴とする請求項３０から３２のいずれか１項に記載の入力方法。
【請求項３４】
前記変位検出工程は、水平方向における変位を検出する水平方向変位検出工程と、垂直方向における変位を検出する垂直方向変位検出工程とからなり、当該垂直方向変位検出工程は、前記第２の操作部による略垂直方向への変位を検出し、前記水平方向変位検出工程は、前記垂直方向変位検出工程より検出された前記第２の操作部の変位に基づいて出力された所定の検出信号に基づいて、前記第１の操作部による接触を検出するか否かを決定することを特徴とする請求項３０から３３のいずれか１項に記載の入力方法。
【請求項３５】
前記制御工程は、前記表示部に表示されている情報内容に基づいて、前記第１の操作部と前記第２の操作部とに対して、移動させる前記移動対象を割り当てることを特徴とする請求項３０から３４のいずれか１項に記載の入力方法。
【請求項３６】
前記第１の操作部に対して略水平方向への力が加わっていない場合、前記第１の操作部を前記原点に復帰させる原点復帰工程を有することを特徴とする請求項２４から３５のいずれか１項に記載の入力方法。
【請求項３７】
前記原点復帰工程は、前記第１の操作部に接着された弾性体の弾性力を用いて、前記第１の操作部を前記原点復帰させることを特徴とする請求項３６記載の入力方法。
【発明の詳細な説明】
【０００１】
【発明の属する技術分野】
本発明は、入力装置、移動通信端末、および入力方法に関し、特に、筐体表面に略平行な平面に対して略水平方向および略垂直方向へ変位する操作部を有し、略平行な平面における操作部の斜め方向への変位を検出する入力装置、移動通信端末、および入力方法に関する。
【０００２】
【従来の技術】
従来、操作性の向上および省スペース化を目的とした入力装置が提供され、ＰＣおよび携帯電話等に広く用いられてきた。上記のような従来技術として、特開２００１−５１７８９号公報が開示するところのポインティングデバイス（以下、従来例１）があった。従来例１では、筐体の上面部に形成された凹部に操作子を摺接させ、凹部に設けられたストレインゲージへの操作子による圧力に基づいて、ディスプレイ上のポインタの位置を指示していた。
【０００３】
また、特開平４−１２５７２３号公報が開示するところのポインティング制御装置（以下、従来例２）では、支持体上を摺動するスライダの単位時間あたりの移動量を磁気抵抗素子により検出し、検出したスライダの移動量に基づいて、ディスプレイ上のポインタの移動制御を行っていた。
【０００４】
【発明が解決しようとする課題】
しかしながら、従来例１では、ＸＹ座標面（筐体の上面と平行な平面）におけるＸＹ方向については検出可能であるが、ＸＹ方向に対して斜め方向を検出することが不可能であるため、操作性の面で問題があった。
【０００５】
また、従来例２では、スライダのＸＹ軸側の運動量に応じて出力される出力電圧を検出し、検出した出力電圧に基づいて、ポインタに対する移動信号（ポインタの加速度に相当する）を出力していた。従って、１マスずつ斜め方向にカーソルを移動させる際には、操作が困難になってしまう場合があった。
【０００６】
本発明は、上記問題点に鑑みてなされたものであり、筐体表面と略平行な平面に対して略水平方向および略垂直方向へ移動する操作部を有し、略平行な平面上における操作部のＸＹ方向に対する斜め方向への変位を検出し、表示部上におけるカーソル等の移動対象に対する容易かつ精度のよい移動制御を実現する入力装置、移動通信端末、および入力方法を提供することを目的とする。
【０００７】
【課題を解決するための手段】
かかる目的を達成するため、請求項１記載の発明は、筐体表面に設置され、筐体表面に対して略平行な平面に沿って略水平方向に変位し、かつ筐体表面に対して略垂直方向に変位する第１の操作手段と、略平行な平面にＸ軸とＹ軸との直交座標を設定した場合、直交座標における原点を基準としてＸＹ方向およびＸＹ方向に対して斜め方向への第１の操作手段の変位を検出する変位検出手段と、変位検出手段により検出された第１の操作手段の変位に基づいて、水平方向検出信号および垂直方向検出信号を出力する信号出力手段と、を備え、信号出力手段により出力された水平方向検出信号により移動対象の移動制御を行い、垂直方向検出信号により所定の情報入力制御を行うことを特徴とする。
【０００８】
また、請求項１記載の発明によれば、第１の操作手段が、筐体表面に略平行な平面に対して略水平方向および略垂直方向へ変位し、変位検出手段が、第１の操作手段の変位（筐体表面に略平行な平面上に設定された直交座標におけるＸＹ方向およびＸＹ方向に対する斜め方向を含む）を検出し、信号出力手段が、変位検出手段が検出した第１の操作手段の変位に基づいて、水平方向検出信号および垂直方向検出信号の信号を出力するため、所定のネットワークを介して信号出力手段により出力された水平方向検出信号および垂直方向検出信号の信号が入力される外部機器は、ＸＹ方向に対する斜め方向への変位を含む第１の操作手段の変位に基づいて、水平方向検出信号により移動対象の移動制御が行われ、垂直方向検出信号により所定の情報入力制御が行われる。
【０００９】
また、請求項２記載の発明によれば、請求項１記載の入力装置において、変位検出手段は、原点を基準としたＸＹ方向およびＸＹ方向に対して斜め方向に設けたセンサにより第１の操作手段の略水平方向への変位を検出することを特徴とする。
【００１０】
また、請求項２記載の発明によれば、変位検出手段は、筐体表面に略平行な平面上の直交座標における原点を基準として、ＸＹ方向およびＸＹ方向に対して斜め方向に設けた水平方向センサにより第１の操作手段の略水平方向への変位を検出するため、ＸＹ方向および斜め方向へ移動した場合の第１の操作手段の変位が検出される。
【００１１】
また、請求項３記載の発明によれば、請求項１または２記載の入力装置において、第１の操作手段は、略水平方向へ変位する部位と略垂直方向へ変位する部位とを一体的に有することを特徴とする。
【００１２】
また、請求項３記載の発明によれば、第１の操作手段は、略水平方向へ変位する部位と略垂直方向へ変位する部位とを一体的に有するため、第１の操作手段を略水平方向あるいは略垂直方向へ移動させた場合、略水平方向へ変位する部位と略垂直方向へ変位する部位とは一体的に変位する。
【００１３】
また、請求項４記載の発明によれば、請求項１または２記載の入力装置において、第１の操作手段は、略水平方向へ変位する部位と略垂直方向へ変位する部位とを有し、略水平方向へ変位する部位と略垂直方向へ変位する部位とは、互いに独立して変位することを特徴とする。
【００１４】
また、請求項４記載の発明によれば、第１の操作手段は、略水平方向へ変位する部位と略垂直方向へ変位する部位とを独立して有するため、略水平方向へ変位する部位を移動させた場合、略垂直方向へ変位する部位は変位しない（現在位置を保持する）。また、略垂直方向へ変位する部位を移動させた場合、略水平方向へ変位する部位は変位しない（現在位置を保持する）。
【００１５】
また、請求項５記載の発明によれば、請求項１から４のいずれか１項に記載の入力装置において、変位検出手段は、略平行な平面上に原点を基準にして複数方向ごとにそれぞれ設置され、第１の操作手段による接触に基づいて、第１の操作手段の略水平方向への変位を検出することを特徴とする。
【００１６】
また、請求項５記載の発明によれば、変位検出手段は、筐体表面に略平行な平面上の直交座標における原点を基準として複数方向にそれぞれ設置された水平方向センサを複数有し、第１の操作手段が複数の水平方向センサのうちいずれかに接触することで、第１の操作手段の略水平方向への変位が検出され、検出された第１の操作手段の略水平方向への変位に基づいて、所定の機器を制御する制御信号が出力される。
【００１７】
また、請求項６記載の発明によれば、請求項１から５のいずれか１項に記載の入力装置において、筐体表面に設置され、互いに独立して筐体表面に対して略垂直方向へ変位する複数の部位からなる第２の操作手段を有することを特徴とする。
【００１８】
また、請求項６記載の発明によれば、第２の操作手段は、筐体表面に複数設置され、互いに独立して略垂直方向へ変位するため、複数設置された第２の操作手段のうちの所定の第２の操作手段が略垂直方向に変位した際、他の第２の操作手段は現在位置を保持し、変位した第２の操作手段に応じた制御信号が出力される。
【００１９】
また、請求項７記載の発明によれば、請求項６記載の入力装置において、変位検出手段は、水平方向における変位を検出する水平方向センサと、垂直方向における変位を検出する垂直方向センサとからなり、垂直方向センサは、第２の操作手段による略垂直方向への変位を検出し、信号出力手段は、垂直方向センサより検出された第２の操作手段の変位に基づいて、所定の検出信号を出力し、水平方向センサは、所定の検出信号に基づいて、第１の操作手段による接触を検出するか否かを決定することを特徴とする。
【００２０】
また、請求項７記載の発明によれば、変位検出手段は、水平方向における変位を検出する水平方向センサと、垂直方向における変位を検出する垂直方向センサとからなり、垂直方向センサは、第２の操作手段の略垂直方向への変位を検出し、信号出力手段は、垂直方向センサより検出された第２の操作手段の変位に基づいて、所定の検出信号を出力し、水平方向センサは、所定の検出信号に基づいて、第１の操作手段と水平方向センサとの接触を検出するか否かを決定するため、水平方向センサによる第１の操作手段の変位に対する検出動作のＯＮ／ＯＦＦが制御される。
【００２１】
また、請求項８記載の発明によれば、請求項１から７のいずれか１項に記載の入力装置において、第１の操作手段に対して略水平方向への力が加わっていない場合、第１の操作手段を原点に復帰させる原点復帰手段を有することを特徴とする。
【００２２】
また、請求項８記載の発明によれば、原点復帰手段は、第１の操作手段に対して略水平方向への力が加わっていない場合、筐体表面に略平行な平面上の直交座標における原点に第１の操作手段を復帰させるため、第１の操作手段は、ユーザの操作により略水平方向へ変位した後に、所定時間ユーザによる操作入力がない場合、第１の操作手段の変位の基準となる原点に移動し、次にユーザにより行われる操作に備える。
【００２３】
また、請求項９記載の発明によれば、請求項８記載の入力装置において、原点復帰手段は、第１の操作手段に接着された弾性体の弾性力を用いて、第１の操作手段を原点復帰させることを特徴とする。
【００２４】
また、請求項９記載の発明によれば、原点復帰手段は、一端を第１の操作手段に接着した弾性体からなるため、略水平方向への力を加えて第１の操作手段を変位させた際、弾性体が撓む。その後、上記の力を解放すると、弾性体の復元力により第１の操作手段は、原点に復帰する。
【００２５】
また、請求項１０記載の発明は、筐体表面に設置され、筐体表面に対して略平行な平面に沿って略水平方向に変位し、かつ筐体表面に対して略垂直方向に変位する第１の操作手段と、略平行な平面にＸ軸とＹ軸との直交座標を設定した場合、直交座標における原点を基準としてＸＹ方向および該ＸＹ方向に対して斜め方向への第１の操作手段の変位を検出する変位検出手段と、情報を画面表示する表示手段と、変位検出手段により検出された第１の操作手段の水平方向への変位に基づいて、移動対象の移動制御を行い、第１の操作手段の垂直方向への変位に基づいて、所定の情報入力制御を行う、制御手段と、を有することを特徴とする。
【００２６】
また、請求項１０記載の発明によれば、第１の操作手段が、筐体表面に略平行な平面に対して略水平方向および略垂直方向へ変位し、変位検出手段が、第１の操作手段の変位（筐体表面に略平行な平面上に設定された直交座標におけるＸＹ方向およびＸＹ方向に対する斜め方向を含む）を検出し、信号出力手段が、変位検出手段が検出した第１の操作手段の変位に基づいて、所定の信号を出力するため、所定のネットワークを介して信号出力手段により出力された所定の信号が入力される外部機器は、ＸＹ方向に対する斜め方向への変位を含む第１の操作手段の水平方向への変位に基づいて、移動対象の移動制御が行われ、第１の操作手段の垂直方向への変位に基づいて、所定の情報入力制御が行われる。
【００２７】
また、請求項１１記載の発明によれば、請求項１０記載の入力装置を備えた電子装置において、変位検出手段は、原点を基準としたＸＹ方向およびＸＹ方向に対して斜め方向に設けたセンサにより第１の操作手段の略水平方向への変位を検出することを特徴とする。
【００２８】
また、請求項１１記載の発明によれば、変位検出手段は、筐体表面に略平行な平面上の直交座標における原点を基準として、ＸＹ方向およびＸＹ方向に対して斜め方向に設けた水平方向センサにより第１の操作手段の略水平方向への変位を検出するため、ＸＹ方向および斜め方向へ移動した場合の第１の操作手段の変位が検出される。
【００２９】
また、請求項１２記載の発明によれば、請求項１０または１１記載の入力装置を備えた電子装置において、第１の操作手段は、略水平方向へ変位する部位と略垂直方向へ変位する部位とを一体的に有することを特徴とする。
【００３０】
また、請求項１２記載の発明によれば、第１の操作手段は、略水平方向へ変位する部位と略垂直方向へ変位する部位とを一体的に有するため、第１の操作手段を略水平方向あるいは略垂直方向へ移動させた場合、略水平方向へ変位する部位と略垂直方向へ変位する部位とは一体的に変位する。
【００３１】
また、請求項１３記載の発明によれば、請求項１０または１１記載の入力装置を備えた電子装置において、第１の操作手段は、略水平方向へ変位する部位と略垂直方向へ変位する部位とを有し、略水平方向へ変位する部位と略垂直方向へ変位する部位とは、互いに独立して変位することを特徴とする。
【００３２】
また、請求項１３記載の発明によれば、第１の操作手段は、略水平方向へ変位する部位と略垂直方向へ変位する部位とを独立して有するため、略水平方向へ変位する部位を移動させた場合、略垂直方向へ変位する部位は変位しない（現在位置を保持する）。また、略垂直方向へ変位する部位を移動させた場合、略水平方向へ変位する部位は変位しない（現在位置を保持する）。
【００３３】
また、請求項１４記載の発明によれば、請求項１０から１３のいずれか１項に記載の入力装置を備えた電子装置において、変位検出手段は、略平行な平面上に原点を基準にして複数方向ごとにそれぞれ設置され、第１の操作手段による接触に基づいて、第１の操作手段の略水平方向への変位を検出することを特徴とする。
【００３４】
また、請求項１４記載の発明によれば、変位検出手段は、筐体表面に略平行な平面上の直交座標における原点を基準として複数方向にそれぞれ設置された水平方向センサを複数有し、第１の操作手段が複数の水平方向センサのうちいずれかに接触することで、第１の操作手段の略水平方向への変位が検出され、検出された第１の操作手段の略水平方向への変位に基づいて、所定の機器を制御する制御信号が出力される。
【００３５】
また、請求項１５記載の発明によれば、請求項１４記載の入力装置を備えた電子装置において、制御手段は、変位検出手段により検出された第１の操作手段の変位に基づいて、移動対象の移動速度を決定することを特徴とする。
【００３６】
また、請求項１５記載の発明によれば、制御手段は、変位検出手段により検出された第１の操作手段の変位に基づいて、移動対象が表示手段上を移動する際の移動速度を決定するため、移動対象は、目的に応じた任意の速度で表示手段上を移動する。
【００３７】
また、請求項１６記載の発明によれば、請求項１０から１５のいずれか１項に記載の入力装置を備えた電子装置において、筐体表面に設置され、互いに独立して筐体表面に対して略垂直方向へ変位する複数の部位からなる第２の操作手段を有することを特徴とする。
【００３８】
また、請求項１６記載の発明によれば、第２の操作手段は、筐体表面に複数設置され、互いに独立して略垂直方向へ変位するため、複数設置された第２の操作手段のうちの所定の第２の操作手段が略垂直方向に変位した際、他の第２の操作手段は現在位置を保持し、変位した第２の操作手段に応じた制御信号が出力される。
【００３９】
また、請求項１７記載の発明によれば、請求項１６記載の入力装置を備えた電子装置において、制御手段は、移動対象を表示手段に表示されているカーソルとした場合、第１の操作手段の略水平方向への変位あるいは第２の操作手段の略垂直方向への変位に基づいて、カーソルを表示手段上の任意の方向に移動させ、第１の操作手段あるいは第２の操作手段の略垂直方向への変位に基づいて、カーソルにより選択されている表示手段上の情報の入力を行うことを特徴とする。
【００４０】
また、請求項１７記載の発明によれば、制御手段は、第１の操作手段の略水平方向への変位あるいは第２の操作手段の略垂直方向への変位に基づいて、カーソルを表示手段上において任意の方向へ移動させ、第１の操作手段の略垂直方向への変位あるいは第２の操作手段の略垂直方向への変位に基づいて、カーソルにより選択された表示手段上の所定情報の入力を行うため、カーソルは、略水平方向における任意の方向へ移動する第１の操作手段の変位あるいは第２の操作手段の略垂直方向への変位に連動して表示手段上に設定された直交座標におけるＸＹ方向およびＸＹ方向に対する斜め方向へ移動する。
【００４１】
また、請求項１８記載の発明によれば、請求項１６または１７記載の入力装置を備えた電子装置において、制御手段は、移動対象を表示手段に表示されている画面全体とした場合、第１の操作手段の略水平方向への変位あるいは第２の操作手段の略垂直方向への変位に基づいて、画面全体を任意の方向にスクロールさせることを特徴とする。
【００４２】
また、請求項１８記載の発明によれば、制御手段は、第１の操作手段の略水平方向への変位あるいは第２の操作手段の略垂直方向への変位に基づいて、表示手段における画面を任意の方向にスクロールさせるため、画面は、表示手段上に設定された直交座標におけるＸＹ方向およびＸＹ方向に対する斜め方向へスクロールし、ユーザに要求された情報が、ＸＹ方向へのみスクロール可能な電子装置と比較して迅速に表示される。
【００４３】
また、請求項１９記載の発明によれば、請求項１６から１８のいずれか１項に記載の入力装置を備えた電子装置において、制御手段は、第１の操作手段の略水平方向への変位あるいは第２の操作手段の略垂直方向への変位に基づいて、表示手段に表示される画面情報を切り替えることを特徴とする。
【００４４】
また、請求項１９記載の発明によれば、制御手段は、第１の操作手段の略水平方向への変位あるいは第２の操作手段の略垂直方向への変位に基づいて、表示手段により表示される画面情報を切り替えるため、ユーザにより要求される画面情報が表示手段上に表示される。
【００４５】
また、請求項２０記載の発明によれば、請求項１６から１９のいずれか１項に記載の入力装置を備えた電子装置において、変位検出手段は、水平方向における変位を検出する水平方向センサと、垂直方向における変位を検出する垂直方向センサとからなり、垂直方向センサは、第２の操作手段による略垂直方向への変位を検出し、水平方向センサは、垂直方向センサより検出された第２の操作手段の変位に基づいて出力された所定の検出信号に基づいて、第１の操作手段による接触を検出するか否かを決定することを特徴とする。
【００４６】
また、請求項２０記載の発明によれば、変位検出手段は、水平方向における変位を検出する水平方向センサと、垂直方向における変位を検出する垂直方向センサとからなり、垂直方向センサは、第２の操作手段による略垂直方向への変位を検出し、水平方向センサは、垂直方向センサより検出された第２の操作手段の変位に基づいて出力された所定の検出信号に基づいて、第１の操作手段と水平方向センサとの接触を検出するか否かを決定するため、水平方向センサによる第１の操作手段の変位に対する検出動作のＯＮ／ＯＦＦが制御される。
【００４７】
また、請求項２１記載の発明によれば、請求項１６から２０のいずれか１項に記載の入力装置を備えた電子装置において、制御手段は、表示手段に表示されている情報内容に基づいて、第１の操作手段と第２の操作手段とに対して、移動させる移動対象を割り当てることを特徴とする。
【００４８】
また、請求項２１記載の発明によれば、制御手段は、表示手段上に表示されている画面情報の内容を判断し、判断した内容に基づいて、第１の操作手段の変位と第２の操作手段の変位とに基づいて移動する移動対象の種類（例えば、カーソル、画面のスクロール、画面間の切替）をそれぞれ割り当てるため、画面情報の内容に応じた、各操作手段の変位と移動対象との対応付けが行われる。
【００４９】
また、請求項２２記載の発明によれば、請求項１０から２１のいずれか１項に記載の入力装置を備えた電子装置において、第１の操作手段に対して略水平方向への力が加わっていない場合、第１の操作手段を原点に復帰させる原点復帰手段を有することを特徴とする。
【００５０】
また、請求項２２記載の発明によれば、原点復帰手段は、第１の操作手段に対して略水平方向への力が加わっていない場合、筐体表面に略平行な平面上の直交座標における原点に第１の操作手段を復帰させるため、第１の操作手段は、ユーザの操作により略水平方向へ変位した後に、所定時間ユーザによる操作入力がない場合、第１の操作手段の変位の基準となる原点に移動し、次にユーザにより行われる操作に備える。
【００５１】
また、請求項２３記載の発明によれば、請求項２２記載の入力装置を備えた電子装置において、原点復帰手段は、第１の操作手段に接着された弾性体の弾性力を用いて、第１の操作手段を原点復帰させることを特徴とする。
【００５２】
また、請求項２３記載の発明によれば、原点復帰手段は、一端を第１の操作手段に接着した弾性体からなるため、略水平方向への力を加えて第１の操作手段を変位させた際、弾性体が撓む。その後、上記の力を解放すると、弾性体の復元力により第１の操作手段は、原点に復帰する。
【００５３】
また、請求項２４記載の発明は、筐体表面に設置され、筐体表面上を変位する第１の操作部と、情報を画面表示する表示部と、を用いる入力方法であって、第１の操作部を筐体表面に対して略平行な平面に沿って略水平方向に変位させ、かつ筐体表面に対して略垂直方向に変位させる第１の操作工程と、略平行な平面にＸ軸とＹ軸との直交座標を設定した場合、直交座標における原点を基準としてＸＹ方向およびＸＹ方向に対して斜め方向への第１の操作部の変位を検出する変位検出工程と、変位検出工程により検出された第１の操作部の水平方向への変位に基づいて、移動対象の移動制御を行い、第１の操作部の垂直方向への変位に基づいて、所定の情報入力制御を行う、制御工程と、を含むことを特徴とする。
【００５４】
また、請求項２４記載の発明によれば、筐体表面に略平行な平面に対して略水平方向および略垂直方向への第１の操作手段の変位（筐体表面に略平行な平面上に設定された直交座標におけるＸＹ方向およびＸＹ方向に対する斜め方向を含む）を検出し、検出した第１の操作部の変位に基づいて、所定の信号を出力するため、所定のネットワークを介して信号出力手段により出力された所定の信号が入力される外部機器は、ＸＹ方向に対する斜め方向への変位を含む第１の操作部の水平方向への変位に基づいて、移動対象の移動制御が行われ、第１の操作部の垂直方向への変位に基づいて、所定の情報入力制御が行われる。
【００５５】
また、請求項２５記載の発明によれば、請求項２４記載の入力方法において、変位検出工程は、原点を基準としたＸＹ方向およびＸＹ方向に対して斜め方向に設けたセンサにより第１の操作部の略水平方向への変位を検出することを特徴とする。
【００５６】
また、請求項２５記載の発明によれば、筐体表面に略平行な平面上の直交座標における原点を基準として、ＸＹ方向およびＸＹ方向に対して斜め方向に設けた水平方向センサは、第１の操作部の略水平方向への変位を検出するため、第１の操作部のＸＹ方向への変位に加え、斜め方向への変位が検出される。
【００５７】
また、請求項２６記載の発明によれば、請求項２４または２５記載の入力方法において、第１の操作工程は、第１の操作部における略水平方向へ変位する部位と略垂直方向へ変位する部位とをそれぞれ一体的に変位させることを特徴とする。
【００５８】
また、請求項２６記載の発明によれば、第１の操作部は、略水平方向へ変位する部位と略垂直方向へ変位する部位とを一体的に有するため、第１の操作部を略水平方向あるいは略垂直方向へ移動させた場合、略水平方向へ変位する部位と略垂直方向へ変位する部位とは一体的に変位する。
【００５９】
また、請求項２７記載の発明によれば、請求項２４または２５記載の入力方法において、第１の操作工程は、第１の操作部における略水平方向へ変位する部位と略垂直方向へ変位する部位とをそれぞれ独立して変位させることを特徴とする。
【００６０】
また、請求項２７記載の発明によれば、第１の操作部は、略水平方向へ変位する部位と略垂直方向へ変位する部位とを独立して有するため、略水平方向へ変位する部位を移動させた場合、略垂直方向へ変位する部位は変位しない（現在位置を保持する）。また、略垂直方向へ変位する部位を移動させた場合、略水平方向へ変位する部位は変位しない（現在位置を保持する）。
【００６１】
また、請求項２８記載の発明によれば、請求項２４から２７のいずれか１項に記載の入力方法において、変位検出工程は、略平行な平面上に原点を基準にして複数方向ごとに設置された変位検出部に対する第１の操作部による接触に基づいて、第１の操作部の略水平方向への変位を検出することを特徴とする。
【００６２】
また、請求項２８記載の発明によれば、筐体表面に略平行な平面上の直交座標における原点を基準として複数方向にそれぞれ設置された複数の水平方向センサのうちのいずれかに、第１の操作部が接触することで、第１の操作部の略水平方向への変位が検出され、検出された第１の操作部の略水平方向への変位に基づいて、所定の機器を制御する制御信号が出力される。
【００６３】
また、請求項２９記載の発明によれば、請求項２８記載の入力方法において、制御工程は、変位検出工程により検出された第１の操作部の変位に基づいて、移動対象の移動速度を決定することを特徴とする。
【００６４】
また、請求項２９記載の発明によれば、検出された第１の操作部の変位に基づいて、移動対象が表示部上を移動する際の移動速度が決定されるため、移動対象は、目的に応じた任意の速度で表示部上を移動する。
【００６５】
また、請求項３０記載の発明によれば、請求項２４から２９のいずれか１項に記載の入力方法において、筐体表面に設置され、互いに独立して変位する複数の部位からなる第２の操作部を、筐体表面に対して略垂直方向に変位させる第２の操作工程を有することを特徴とする。
【００６６】
また、請求項３０記載の発明によれば、第２の操作部は、筐体表面に複数設置され、互いに独立して略垂直方向へ変位するため、複数設置された第２の操作部のうちの所定の第２の操作部が略垂直方向に変位した際、他の第２の操作部は現在位置を保持し、変位した第２の操作部に応じた制御信号が出力される。
【００６７】
また、請求項３１記載の発明によれば、請求項３０記載の入力方法において、制御工程は、移動対象を表示部に表示されているカーソルとした場合、第１の操作部の略水平方向への変位あるいは第２の操作部の略垂直方向への変位に基づいて、カーソルを表示工程上の任意の方向に移動させ、第１の操作部あるいは第２の操作部の略垂直方向への変位に基づいて、カーソルにより選択されている表示部上の情報の入力を行うことを特徴とする。
【００６８】
また、請求項３１記載の発明によれば、第１の操作部の略水平方向への変位あるいは第２の操作部の略垂直方向への変位に基づいて、カーソルを表示部上において任意の方向へ移動させ、第１の操作部の略垂直方向への変位あるいは第２の操作部の略垂直方向への変位に基づいて、カーソルにより選択された表示部上の所定情報の入力を行うため、カーソルは、略水平方向における任意の方向へ移動する第１の操作部の変位あるいは第２の操作部の略垂直方向への変位に連動して表示部上に設定された直交座標におけるＸＹ方向およびＸＹ方向に対する斜め方向へ移動する。
【００６９】
また、請求項３２記載の発明によれば、請求項３０または３１記載の入力方法において、制御工程は、移動対象を表示部に表示されている画面全体とした場合、第１の操作部の略水平方向への変位あるいは第２の操作部の略垂直方向への変位に基づいて、画面全体を任意の方向にスクロールさせることを特徴とする。
【００７０】
また、請求項３２記載の発明によれば、第１の操作部の略水平方向への変位あるいは第２の操作部の略垂直方向への変位に基づいて、表示部における画面は、任意の方向にスクロールするため、画面は、表示部上に設定された直交座標におけるＸＹ方向およびＸＹ方向に対する斜め方向へスクロールし、ユーザに要求された情報が、ＸＹ方向へのみスクロール可能な電子装置と比較して迅速に表示される。
【００７１】
また、請求項３３記載の発明によれば、請求項３０から３２のいずれか１項に記載の入力方法において、制御工程は、第１の操作部の略水平方向への変位あるいは第２の操作部の略垂直方向への変位に基づいて、表示部に表示される画面情報を切り替えることを特徴とする。
【００７２】
また、請求項３３記載の発明によれば、第１の操作部の略水平方向への変位あるいは第２の操作部の略垂直方向への変位に基づいて、表示部により表示される画面情報が切り替えられるため、ユーザにより要求される画面情報が表示部上に表示される。
【００７３】
また、請求項３４記載の発明によれば、請求項３０から３３のいずれか１項に記載の入力方法において、変位検出工程は、水平方向における変位を検出する水平方向変位検出工程と、垂直方向における変位を検出する垂直方向変位検出工程とからなり、垂直方向変位検出工程は、第２の操作部による略垂直方向への変位を検出し、水平方向変位検出工程は、垂直方向変位検出工程より検出された第２の操作部の変位に基づいて出力された所定の検出信号に基づいて、第１の操作部による接触を検出するか否かを決定することを特徴とする。
【００７４】
また、請求項３４記載の発明によれば、水平方向における変位を検出する水平方向変位検出工程と、垂直方向における変位を検出する垂直方向変位検出工程とからなり、垂直方向変位検出工程は、第２の操作部の略垂直方向への変位を検出し、水平方向変位検出工程は、垂直方向変位検出工程より検出された第２の操作部の変位に基づいて出力された所定の検出信号に基づいて、第１の操作部と水平方向センサとの接触が検出されるか否かが決定されるため、水平方向センサによる第１の操作部の変位に対する検出動作のＯＮ／ＯＦＦが制御される。
【００７５】
また、請求項３５記載の発明によれば、請求項３０から３４のいずれか１項に記載の入力方法において、制御工程は、表示部に表示されている情報内容に基づいて、第１の操作部と第２の操作部とに対して、移動させる移動対象を割り当てることを特徴とする。
【００７６】
また、請求項３５記載の発明によれば、表示部上に表示されている画面情報の内容に基づいて、第１の操作部の変位と第２の操作部の変位とに連動して移動する移動対象の種類（例えば、カーソル、画面のスクロール、画面間の切替）がそれぞれ割り当てられるため、画面情報の内容に応じた、各操作部の変位と移動対象との対応付けが行われる。
【００７７】
また、請求項３６記載の発明によれば、請求項２４から３５のいずれか１項に記載の入力方法において、第１の操作部に対して略水平方向への力が加わっていない場合、第１の操作部を原点に復帰させる原点復帰工程を有することを特徴とする。
【００７８】
また、請求項３６記載の発明によれば、第１の操作部に対して略水平方向への力が加わっていない場合、第１の操作部は、筐体表面に略平行な平面上の直交座標における原点に復帰するため、第１の操作部は、ユーザの操作により略水平方向へ変位した後に、所定時間ユーザによる操作入力がない場合、第１の操作部の変位の基準となる原点に移動し、次にユーザにより行われる操作に備える。
【００７９】
また、請求項３７記載の発明によれば、請求項３６記載の入力方法において、原点復帰工程は、第１の操作部に接着された弾性体の弾性力を用いて、第１の操作部を原点復帰させることを特徴とする。
【００８０】
また、請求項３７記載の発明によれば、第１の操作部は、一端を第１の操作手段に接着した弾性体により原点に復帰するため、略水平方向への力を受けて第１の操作部が変位した際、弾性体が撓む。その後、上記の力が解放されると、弾性体の復元力により第１の操作部は、原点に復帰する。
【００８１】
【発明の実施の形態】
（第１の実施形態）
図１は、本発明の第１の実施形態における入力装置を有する移動通信端末の構成を示す図である。
【００８２】
移動通信端末は、携帯電話、ＰＨＳ、あるいはＰＤＡ等の折畳み型移動通信端末であるが、表示手段を有するものであれば、上記のものに限らない。
【００８３】
移動通信端末は、第１の筐体１０Ａと、第２の筐体１０Ｂと、第１の筐体１０Ａと第２の筐体１０Ｂとを接続するヒンジ９と、を有する。第１の筐体１０Ａには、入力装置２０と、マイクロフォン１２と、が搭載され、第２の筐体１０Ｂには、表示部１１と、スピーカ１３と、アンテナ１４と、が設置されている。また、第１の筐体１０Ａ上には、凹部（以下、操作領域１６）が設けられ、これが入力装置２０の一部を成している。入力装置２０は、操作部１５と、操作領域１６と、を有する。
【００８４】
表示部１１は、文字、静止画、あるいは動画等の情報を表示する。また、表示部１１には、表示部１１上における所定の情報、領域あるいは項目を特定（選択）するためのカーソル（ポインタ）が表示される。また、表示部１１に表示される情報自体を移動させることが可能である（つまり、表示部１１上の情報をスクロールさせることが可能である）。
【００８５】
マイクロフォン１２は、音声情報を入力する部位である。スピーカ１３は、音声情報を出力する。アンテナ１４は、所定の信号を送受信する。
【００８６】
操作部１５の底面は、操作領域１６よりも小さな面積を有し、第１の筐体１０Ａ表面と略平行な平面に沿って、操作領域１６内を全方向へ水平移動する。また、操作部１５の移動量が「０」と判断される原点が操作領域１６内の所定の位置に定められている。外部から操作部１５を水平移動させる力が加わっていない場合、操作部１５は、原点に位置する。また、操作部１５が操作領域１６内の原点を除く他の位置に移動した後に、外部からその位置に保持させる力あるいは水平移動させる力が加えられていない場合、操作部１５は、原点に復帰する。
【００８７】
また、操作部１５は、ユーザの指先等により押下されることによって、第１の筐体１０Ａ表面に対して略垂直方向に移動することも可能である。操作部１５の第１の筐体１０Ａ表面に対して略水平方向への変位および略垂直方向への変位は、表示部１１上の移動対象の動き（カーソルの移動あるいは画面のスクロール等）と連動する。
【００８８】
例えば、操作部１５の変位と連動する表示部１１上の移動対象を、カーソルとした場合、ユーザは、指先等で操作部１５を第１の筐体１０Ａ表面と略平行な平面において略水平方向（以下、単に略水平方向と表記する）で全方向に移動させることにより、カーソルを表示部１１の画面上で全方向移動させ、表示部１１に表示されている所定の情報を選択することが可能である。
【００８９】
また、ユーザは、指先等で操作部１５を第１の筐体１０Ａ表面と略平行な平面において略垂直方向（以下、単に略垂直方向と表記する）に押下することにより、カーソルにより選択されている情報を入力することが可能である。
【００９０】
図２７は、本発明の第１の実施形態において、移動対象がカーソルである場合の表示部１１の画面構成を示す図である。図２７に示されているように、表示部１１上の表示画面７０には、４×４のマトリクス状に並んだ１６個のアイコンが表示されている。アイコンは、それぞれ所定の情報を記号化したものであり、カーソルにより選択および入力される。また、カーソルは、上記の１６個のアイコンのうち、いずれか１個を選択するものとする。
【００９１】
ここで、初めアイコン７１を選択していたカーソルをアイコン７２（斜線部分）へ移動させるとする。ＸＹ方向へのみカーソル移動可能である入力装置では、カーソルをアイコン７１からアイコン７２へ移動させるためには、矢印７４で示されるように、Ｙ方向へ２マス、Ｘ方向へ２マス、計４マス移動させなければならない。本実施形態における入力装置における表示部１１上のカーソルは、ＸＹ方向に加えて、ＸＹ方向に対して斜め方向へも移動可能である。従って、本実施形態では、カーソルをアイコン７１からアイコン７２へ移動させる場合、矢印７３で示されているように、斜め方向へ２マス移動させるだけでよく、入力装置の操作性の向上が実現されている。
【００９２】
なお、本実施形態では、アイコンは、表示画面７０上において４×４（＝１６個）のマトリクス状に並んでいたが、アイコンの個数および表示位置は、上記に限定されないものとする。また、本実施形態では、カーソルが同時に選択するアイコンの個数は１個であったが、カーソルにより選択されるアイコンの個数についてもこれに限らない。
【００９３】
また、表示部１１における表示画面を移動対象として、表示画面を表示部１１上において全方向でスクロールさせることも可能である。
【００９４】
図２８の（ａ）は、本発明の第１の実施形態において、表示部１１上の表示画面に表示される画面情報８０を示す図であり、（ｂ）は、本発明の第１の実施形態において、移動対象が表示画面である場合の表示部１１の画面構成を示す図である。以下、図２８の（ａ）および（ｂ）を用いて、本実施形態における表示画面がスクロールする場合について説明する。
【００９５】
図２８における画面情報８０は、所定の地図情報を示している。点線枠８１あるいは実線枠８２により囲まれている領域は、表示部１１における表示画面に表示可能な範囲（サイズ）を示している。つまり、表示画面をスクロールさせることによって、画面情報８０における所定領域を、上記の枠に囲まれている範囲で表示画面上に表示させることが可能となる。図２８の（ｂ）は、図２８の（ａ）において点線枠８１により示されている画面表示を実線枠８２により示されている画面表示をへスクロールさせた場合を示す図となっている。
【００９６】
本実施形態では、初め、点線枠８１により囲まれている画面表示が表示部１１上に表示されている場合、矢印８３の方向（ＸＹ方向に対して斜め方向）へスクロールさせることによって、実線枠８２により囲まれている画面表示が表示部１１に表示される。本実施形態では、図２８の（ａ）および（ｂ）に示されているＸＹ方向に加えてＸＹ方向に対して斜め方向へスクロールさせることが可能である。例えば、画面情報が地図情報である場合等には、表示画面をＸＹ平面において全方向に移動可能とすることによって、表示要求されている画面情報を容易かつ迅速に表示部１１上に表示させることが可能となり、入力装置による操作性の向上が実現可能となる。
【００９７】
なお、本実施形態では、画面情報８０を地図情報であるとしたが、他の情報であってもよい。また、操作部１５等の変位に基づいて、表示部１１上に表示される情報の拡大および縮尺が行われるようにしてもよい。
【００９８】
また、インターネット等を介して配信される情報（ＷＥＢページ等）は、ページ単位であることが多い。移動対象をページ単位の情報とした場合、所定の入力を行うことにより、ページ単位で表示部１１上の画面情報を切り替える（遷移させる）ことが可能となる。
【００９９】
図２は、本発明の第１の実施形態における入力装置、第１の筐体、および回路基板の形状を示す斜視図である。また、図３は、図２に示されている本実施形態における入力装置２０を部位ごとに分解した図である。以下、図３を用いて、本実施形態における入力装置２０の構成および形状について説明する。
【０１００】
本実施形態における入力装置２０は、図１の操作部１５に対応する可動部２１と、基板２３と、弾性体２５と、水平方向センサ３４と、を有する。回路基板２４上には、回路基板２４側から順に、基板２３、可動部２１、第１の筐体２２が水平に載置されている。
【０１０１】
第１の筐体２２中央には、穴部が設けられている。第１の筐体２２は、可動部２１が上記の穴部を貫通するように載置される。可動部２１は、基板２３上を水平移動する。第１の筐体２２に設けられた穴部により決められる操作領域内において、可動部２１は、略水平方向に移動する。
【０１０２】
また、弾性体２５の一端は可動部２１に、他端は第１の筐体２２に、それぞれ接続されており、可動部２１（あるいは操作部１５）の原点復帰を行う。なお、弾性体２５の個数および可動部２１に対する接続位置は、原点以外の任意の位置からの原点復帰が可能であれば、任意であってよい。
【０１０３】
また、水平方向センサ３４は、基板２３上に、検出する方向に応じて所定数設けられている。水平方向センサ３４は、可動部２１の略水平方向の変位を検出する。なお、水平方向センサ３４は、上記したように、検出方向ごとに設けられるが、検出方向ごとに複数設け、可動部２１の原点からの移動距離の差異を検出するようにしてもよい。また、可動部２１の移動距離は、カーソルの移動速度に反映されるようにしてもよい。
【０１０４】
回路基板２４上には、ＣＰＵあるいは所定の信号処理を行う部位等の制御系回路（図示せず）が設けられている。また、基板２３は、回路基板２４と接続されている。基板２３上における可動部２１の変位を示す信号は、基板２３から回路基板２４へと出力され、回路基板２４上に設けられている制御系回路により処理される。
【０１０５】
図４は、本発明の第１の実施形態における入力装置２０を、基板２３に対して垂直方向から見た平面図である。図４では、可動部２１は、基板２３上の操作領域３２内の原点３１に位置している。以下、図４を用いて、本実施形態における可動部２１の略水平方向への変位の検出処理について説明する。
【０１０６】
可動部２１は、基板２３上を、操作領域３２内の範囲で移動する。可動部２１の略水平方向への変位は、基板２３上に定められている操作領域３２内の原点３１からの距離および方向により検出される。
【０１０７】
本実施形態では、図４に示されるように、原点３１を通過し、基板２３に対して平行な所定の方向にＸ軸をとる。また、図４に示されるように、原点３１を通過し、基板２３に対して平行、かつＸ軸と直交する方向にＹ軸をとる。
【０１０８】
可動部２１には、可動部２１の底面（基板２３側）の内周に沿って、時計回りに導体部２９ａ、２９ｂ、２９ｃ、２９ｄ、２９ｅ、２９ｆ、２９ｇ、２９ｈの順に導体部２９ａ〜２９ｈが設けられている。導体部２９ａ〜２９ｈは、基板２３上を摺動する。導体部２９ａ〜２９ｈが基板２３上に設けられている水平方向センサ２６ａ〜２６ｈ、２７ａ〜２７ｈに接触すると、接触した水平方向センサは、可動部２１の略水平方向への変位を検出する。
【０１０９】
可動部２１が原点３１に位置する場合、導体部２９ａは原点３１を基準にしてＹの増加方向に位置し、導体部２９ｅは原点３１を基準にしてＹの減少方向に位置する（導体部２９ａ、２９ｅ、水平方向センサ２６ａ、２６ｅ、２７ａ、２７ｅはＹ軸上に位置する）。
【０１１０】
また、可動部２１が原点３１に位置する場合、導体部２９ｃは原点３１を基準にしてＸの増加方向に位置し、導体部２９ｇは原点３１を基準にしてＸの減少方向に位置する（導体部２９ｃ、２９ｇ、水平方向センサ２６ｃ、２６ｇ、２７ｃ、２７ｇはＸ軸上に位置する）。
【０１１１】
基板２３上の操作領域３２を示す面の内周に沿って、水平方向センサ２７ａ〜２７ｈが設置されている。さらに、水平方向センサ２７ａ〜２７ｈの原点側には、それぞれ水平方向センサ２６ａ〜２６ｈが設置されている。以下、各水平方向センサの設置位置および検出特性について説明する。
【０１１２】
Ｙ軸と操作領域３２を示す面との交点のうち、一方の近傍（Ｙの増加方向側）には水平方向センサ２７ａ、他方の近傍（Ｙの減少方向側）には水平方向センサ２７ｅが設けられている。さらに、水平方向センサ２７ａ、２７ｅよりも原点側にそれぞれ水平方向センサ２６ａ、２６ｅが設けられている。水平方向センサ２６ａ、２７ａは、導体部２９ａと接触することにより可動部２１のＹ方向における変位を検出する。また、同様に水平方向センサ２６ｅ、２７ｅは、導体部２９ｅと接触することにより可動部２１のＹ方向における変位を検出する。
【０１１３】
Ｘ軸と操作領域３２を示す面との交点のうち、一方の近傍（Ｘの増加方向側）には水平方向センサ２７ｃ、他方の近傍（Ｘの減少方向側）には水平方向センサ２７ｇが設けられている。さらに、水平方向センサ２７ｃ、２７ｇよりも原点側にそれぞれ水平方向センサ２６ｃ、２６ｇが設けられている。水平方向センサ２６ｃ、２７ｃは、導体部２９ｃと接触することにより可動部２１のＸ方向における変位を検出する。また、同様に水平方向センサ２６ｇ、２７ｇは、導体部２９ｇと接触することにより可動部２１のＸ方向における変位を検出する。
【０１１４】
また、操作領域３２の内周に沿って、時計回りに水平方向センサ２７ａ、２７ｂ、２７ｃ、２７ｄ、２７ｅ、２７ｆ、２７ｇ、２７ｈの順に、水平方向センサ２７ａ〜２７ｈが設置されている。水平方向センサ２７ｂ、２７ｄ、２７ｆ、２７ｈは、Ｘ軸上およびＹ軸上に設置されていない。つまり、水平方向センサ２７ｂ、２７ｄ、２７ｆ、２７ｈは、原点３１を基準にして斜め方向（ＸＹ方向に平行ではない方向）に設置されている。
【０１１５】
また、水平方向センサ２７ｂ、２７ｄ、２７ｆ、２７ｈの設置位置と原点３１とを結ぶ線分上において、水平方向センサ２７ｂ、２７ｄ、２７ｆ、２７ｈよりも原点３１側には、それぞれ水平方向センサ２６ｂ、２６ｄ、２６ｆ、２６ｈが設置されている。つまり、水平方向センサ２６ｂ、２６ｄ、２６ｆ、２６ｈも原点３１を基準にして斜め方向（ＸＹ平面においてＸＹ方向に平行ではない方向）に設置されている。可動部２１が原点３１に位置する場合、原点３１、導体部２９ｂ、水平方向センサ２６ｂ、２７ｂは、ＸＹ平面において同一線上に位置する。また、同様に、原点３１、導体部２９ｄ、水平方向センサ２６ｄ、２７ｄは、ＸＹ平面において同一線上に位置し、原点３１、導体部２９ｆ、水平方向センサ２６ｆ、２７ｆは、ＸＹ平面において同一線上に位置する。また、原点３１、導体部２９ｈ、水平方向センサ２６ｈ、２７ｈは、ＸＹ平面において同一線上に位置する。
【０１１６】
水平方向センサ２６ｂ、２７ｂは導体部２９ｂと、水平方向センサ２６ｄ、２７ｄは導体部２９ｄと、水平方向センサ２６ｆ、２７ｆは導体部２９ｆと、水平方向センサ２６ｈ、２７ｈは導体部２９ｈと、それぞれ接触することにより可動部２１のＸ方向およびＹ方向の両方向における変位を検出する。つまり、Ｙ方向を縦方向、Ｘ方向を横方向とした場合、水平方向センサ２７ａ、２７ｅは可動部２１の縦方向への変位を検出し、水平方向センサ２７ｃ、２７ｇは可動部２１の横方向への変位を検出する。また、水平方向センサ２７ｂ、２７ｄ、２７ｆ、２７ｈは、可動部２１の（ＸＹ方向に対して）斜め方向への変位を検出する。従って、本実施形態では、Ｘ方向、Ｙ方向に限らず、斜め方向における可動部２１の変位を検出することが可能となる。
【０１１７】
図５は、本発明の第１の実施形態における入力装置２０を、基板２３に対して垂直方向から見た平面図であり、図４において原点に位置する可動部２１を矢印Ａ１の方向に移動させた図である。以下、図５を用いて、本実施形態における可動部２１の略水平方向への変位の検出処理について説明する。また、以下、特記しない限り、図５に示される構成は、図４に示されるものと同様であるとする。
【０１１８】
図５では、図４と同様に、基板２３上に設定されている操作領域３２内を可動部２１が移動する。点線で示されている原点位置３３は、可動部２１が操作領域３２内に設定されている原点に位置する場合を示している。
【０１１９】
図５に示されているように、可動部２１が原点位置３３から矢印Ａ１の方向に移動すると、可動部２１に設置されている導体部２９ｂは、水平方向センサ２６ｂと接触する。水平方向センサ２６ｂは、導体部２９ｂとの接触を認識することによって、可動部２１の略水平方向における（斜め方向の）変位を検出する。
【０１２０】
図６は、本発明の第１の実施形態における入力装置２０を、基板２３に対して垂直方向から見た平面図であり、図４において原点に位置する可動部２１を矢印Ａ２の方向に移動させた図である。矢印Ａ２で示される可動部２１の変位は、原点を基準として図５に示される矢印Ａ１と同方向で、原点からの移動距離は図５におけるものよりも大きな値であるとする。以下、図６を用いて、本実施形態における可動部２１の略水平方向への変位の検出処理について説明する。また、以下、特記しない限り、図６に示される構成は、図４に示されるものと同様であるとする。
【０１２１】
図６では、図４と同様に、基板２３上に設定されている操作領域３２内を可動部２１が移動する。点線で示されている原点位置３３は、可動部２１が操作領域３２内に設定されている原点に位置する可動部を示している。
【０１２２】
図６に示されているように、可動部２１が原点位置３３から矢印Ａ２の方向に移動すると、可動部２１に設置されている導体部２９ｂは、水平方向センサ２６ｂを通過した後、水平方向センサ２７ｂと接触する。水平方向センサ２７ｂは、導体部２９ｂとの接触を認識することによって、可動部２１の略水平方向における変位を検出する。
【０１２３】
上記のように、原点から同方向に対して、距離の異なる位置に複数の水平方向センサを設けることによって、可動部２１の原点からの移動方向だけではなく、移動距離を検出することが可能である。
【０１２４】
また、可動部２１の原点からの移動距離に応じて、表示部１１上の移動対象（カーソル、画面のスクロール等）における移動制御を目的に応じて設定することが可能となる。例えば、原点からの移動距離に応じてカーソルの移動速度を変化させるように設定してもよいし、移動対象を切り替えてもよい（例えば、移動距離Ｄ１≠Ｄ２として、移動距離Ｄ１ではカーソルを移動させ、移動距離Ｄ２では画面をスクロールさせる等）。
【０１２５】
図７は、図３に示されている第１の実施形態における入力装置２０の構成を示す図であり、第１の筐体１０Ａ表面に対して水平方向から見た断面図である。以下、図７を用いて、本実施形態における入力装置２０の構成および形状について説明する。
【０１２６】
回路基板２４上には、回路基板２４側から順に、入力装置２０、第１の筐体２２が載置されている。入力装置２０は、可動部２１と、基板２３と、弾性体２５と、水平方向センサ２６、２７と、垂直方向センサ２８と、導体部２９と、を有する。また、可動部２１は、水平方向可動部２１ａと、垂直方向可動部２１ｂと、を有する。
【０１２７】
回路基板２４上には、基板２３が載置されている。また基板２３には、水平方向センサ２６、２７と、垂直方向センサ２８が設置されている。導体部２９は、検出方向（水平方向センサ設置方向）ごとに水平方向可動部２１ａに設けられており、基板２３上を摺動する。
【０１２８】
また、導体部２９と同様に、弾性体２５も検出方向ごとに設置されている。弾性体２５の一端は水平方向可動部２１ａに接続されており、他端は第１の筐体２２に固定されている。なお、弾性体２５による弾性力は、基板２３と平行な方向に働くものとする。
【０１２９】
ユーザは、指先等により可動部２１に対して略水平方向に力を加えると、水平方向可動部２１ａは、弾性体２５による弾性力に抗するように略水平方向に移動する。水平方向可動部２１ａの略水平方向移動とともに、導体部２９は、基板２３上を摺動する。その結果、導体部２９が水平方向センサ２６あるいは水平方向センサ２７と接触すると、接触した水平方向センサは、可動部２１の略水平方向における変位を検出し、可動部２１の略水平方向における変位を示す水平方向検出信号ａを出力する。
【０１３０】
また、弾性体２５は、その弾性力に抗して略水平方向に変位した可動部２１を原点に復帰させる。つまり、ユーザが指先等により可動部２１を略水平方向に変位させると、弾性体２５が撓む。ユーザが変位させた後に可動部２１から指先等を離すと、撓んだ弾性体２５の復元力により、可動部２１は、原点に復帰する。なお、弾性体２５は、圧縮バネであってもよいし、他の弾性体であってもよい。また、原点復帰を実現する他の機構であってもよい。
【０１３１】
また、ユーザは、指先等により可動部２１（垂直方向可動部２１ｂ）に対して略垂直方向に力を加え、押下すると、可動部２１における可撓部位３０が撓み、垂直方向可動部２１ｂが略垂直方向に垂下する。
【０１３２】
垂直方向可動部２１ｂが垂下すると、垂直方向可動部２１ｂは、垂直方向センサ２８と接触する。垂直方向センサ２８は、垂直方向可動部２１ｂとの接触により垂直方向可動部２１ｂの略垂直方向における変位を検出する。垂直方向センサ２８は、検出した垂直方向可動部２１ｂの変位に基づいて、その変位を示す垂直方向検出信号ｂを出力する。なお、垂直方向センサ２８は、メタルドームであってもよいし、他の構成であってもよい。
【０１３３】
図８は、本発明の第１の実施形態における入力装置の制御を示すブロック図である。以下、図１、図７および図８を用いて、可動部２１の変位を検出し、その検出結果に基づく表示部の制御について説明する。
【０１３４】
入力装置は、水平方向センサ３５と、垂直方向センサ３６と、ＣＰＵ３７と、表示制御部３８と、表示部３９と、を有する。
【０１３５】
水平方向センサ３５は、可動部２１の略水平方向における変位を検出し、その検出結果に基づいて水平方向検出信号ａをＣＰＵ３７に出力する。また、垂直方向センサ３６は、可動部２１の略垂直方向における変位を検出し、その検出結果に基づいて垂直方向検出信号ｂをＣＰＵ３７に出力する。
【０１３６】
ＣＰＵ３７は、入力装置の制御を行う。可動部２１の略水平方向における変位を示す水平方向検出信号ａがＣＰＵ３７に入力されると、ＣＰＵ３７は、表示部３９上の移動対象を移動させるように表示制御部３８に指示を出す。また、可動部２１の略垂直方向の変位を示す垂直方向検出信号ｂがＣＰＵ３７に入力されると、ＣＰＵ３７は、表示部３９上の移動対象が選択している情報の入力指示を表示制御部３８に出す。
【０１３７】
なお、本実施形態では、水平方向検出信号ａを表示部３９上の移動対象の変位（移動距離、移動方向等）の制御に用い、垂直方向検出信号ｂを表示部３９上の移動対象が選択している情報の入力制御に用いていたが、他の制御に用いてもよい。例えば、水平方向検出信号ａに基づいて所定の入力制御を行ってもよいし、垂直方向検出信号ｂに基づいて移動対象の移動制御を行ってもよい。
【０１３８】
表示制御部３８は、ＣＰＵ３７からの指示に基づいて、表示部３９に表示される情報の表示、表示部３９上の移動対象の移動制御、および表示部３９上に表示されている所定の情報の入力制御等を行う。表示部３９は、表示制御部３８の制御に基づいて、多様な情報を表示する。
【０１３９】
また、水平方向センサ３５ごとに表示部３９上の移動対象を移動させる際の移動速度を設定することによって、表示制御部３８は、可動部２１の変位を検出した水平方向センサ３５に応じて、表示部３９上の移動対象の移動速度を制御することが可能である。水平方向センサ３５は、可動部２１の変位を検出すると、水平方向検出信号ａをＣＰＵ３７へ出力する。ＣＰＵ３７は、入力した水平方向検出信号ａに基づいて、可動部２１の変位を検出した水平方向センサ３５に設定されている「移動速度」を判定し、判定した「移動速度」で移動対象を移動させるように、表示制御部３８に命令を出す。
【０１４０】
表示制御部３８は、ＣＰＵ３７から出力された命令に基づいて、ＣＰＵ３７により判定された「移動速度」で表示部３９上の移動対象を所定方向へ移動させる。
【０１４１】
図９は、本発明の第１の実施形態において可動部が略水平方向に移動する場合における入力装置の動作の流れを示すフローチャートである。以下、図８を用い、図９に沿って、本実施形態において可動部が略水平方向に移動する場合における入力装置の動作について説明する。
【０１４２】
水平方向センサ３５は、可動部２１の略水平方向における変位を検出したか否かを判断する（ステップＳ９０１）。可動部２１の略水平方向における変位が検出されていないと判断された場合（ステップＳ９０１／Ｎｏ）、ステップＳ９０１の工程が繰り返される。
【０１４３】
可動部２１の略水平方向における変位が検出されたと判断された場合（ステップＳ９０１／Ｙｅｓ）、水平方向センサ３５は、検出した可動部２１の略水平方向における変位を示す水平方向検出信号ａをＣＰＵ３７に出力する（ステップＳ９０２）。
【０１４４】
ＣＰＵ３７は、水平方向センサ３５から出力された水平方向検出信号ａが自身に入力されたか否かを判断する（ステップＳ９０３）。水平方向検出信号ａが入力されていないと判断された場合（ステップＳ９０３／Ｎｏ）、ステップＳ９０３の工程が繰り返される。
【０１４５】
ＣＰＵ３７が自身に水平方向検出信号ａが入力されたと判断した場合（ステップＳ９０３／Ｙｅｓ）、ＣＰＵ３７は、入力された水平方向検出信号ａに基づいて、表示部３９上の移動対象を移動させるような指示を表示制御部３８に対して出力する（ステップＳ９０４）。
【０１４６】
表示制御部３８は、ＣＰＵ３７からの指示に基づいて、表示部３９上の移動対象の移動制御を行い（ステップＳ９０５）、入力装置は、可動部２１の略水平方向における変位検出に基づく表示部３９制御の動作を終了する。
【０１４７】
図１０は、本発明の第１の実施形態において可動部が略垂直方向に移動する場合における入力装置の動作の流れを示すフローチャートである。以下、図８を用い、図１０に沿って、本実施形態において可動部が略垂直方向に移動する場合における入力装置の動作について説明する。
【０１４８】
垂直方向センサ３６は、可動部２１の略垂直方向における変位を検出したか否かを判断する（ステップＳ１００１）。可動部２１の略垂直方向における変位が検出されていないと判断された場合（ステップＳ１００１／Ｎｏ）、ステップＳ１００１の工程が繰り返される。
【０１４９】
可動部２１の略垂直方向における変位が検出されたと判断された場合（ステップＳ１００１／Ｙｅｓ）、垂直方向センサ３６は、検出した可動部２１の略垂直方向における変位を示す垂直方向検出信号ｂをＣＰＵ３７に出力する（ステップＳ１００２）。
【０１５０】
ＣＰＵ３７は、垂直方向センサ３６から出力された垂直方向検出信号ｂが自身に入力されたか否かを判断する（ステップＳ１００３）。垂直方向検出信号ｂが入力されていないと判断された場合（ステップＳ１００３／Ｎｏ）、ステップＳ１００３の工程が繰り返される。
【０１５１】
ＣＰＵ３７が自身に垂直方向検出信号ｂが入力されたと判断した場合（ステップＳ１００３／Ｙｅｓ）、ＣＰＵ３７は、表示部３９上で所定の情報が移動対象等により選択されているか否かを判断する（ステップＳ１００４）。表示部３９上において選択されている情報が存在しない場合（ステップＳ１００４／Ｎｏ）、入力装置は、可動部２１の略垂直方向における変位検出に基づく表示部３９制御の動作を終了する。
【０１５２】
表示部３９上に移動対象等により所定の情報が選択されていると判断された場合（ステップＳ１００４／Ｙｅｓ）、ＣＰＵ３７は、入力された垂直方向検出信号ｂに基づいて、表示部３９上で選択されている情報を入力する指示を、表示制御部３８に対して出力する（ステップＳ１００５）。
【０１５３】
表示制御部３８は、ＣＰＵ３７からの指示に基づいて、表示部３９上で選択されている情報の入力制御を行い（ステップＳ１００６）、入力装置は、可動部２１の略垂直方向における変位検出に基づく表示部３９制御の動作を終了する。
【０１５４】
本実施形態では、操作部１５の縦横方向（ＸＹ方向）における変位だけではなく、ＸＹ方向に対する斜め方向における変位を検出することによって、表示部１１上の移動対象の斜め方向への移動制御を容易かつ精度よく行うことが可能となる。
【０１５５】
また、本実施形態では、表示部１１上の移動対象の移動制御は、操作部１５の略水平方向の変位に基づいて行われる。また、表示部１１の移動対象により選択されている情報の入力制御は、操作部１５の略水平方向の変位とは明確に方向が区別された操作部１５の略垂直方向の変位に基づいて行われる。従って、操作部１５の誤操作による表示部１１における誤入力等を抑制することが可能となる。
【０１５６】
なお、本実施形態では、水平方向センサおよび導体部は、原点を基準にしてそれぞれ８個設けられていたが、設けられる位置および個数は上記のものに限らない。
【０１５７】
（第２の実施形態）
本発明の第２の実施形態における構成および動作は、以下特記しない限り本発明の第１の実施形態と同様であるとする。
【０１５８】
図１１は、本発明の第２の実施形態における入力装置、第１の筐体、および回路基板の形状を示す斜視図である。また、図１２は、図１１に示されている本実施形態における入力装置４０を部位ごとに分解した図である。以下、図１２を用いて、本実施形態における入力装置４０の構成および形状について説明する。
【０１５９】
本実施形態における入力装置４０は、可動部４１と、基板４３と、弾性体４５と、水平方向センサ５４と、を有する。回路基板４４上には、回路基板４４側から順に、基板４３、弾性体４５、可動部４１、第１の筐体４２が水平に載置されている。
【０１６０】
第１の筐体４２中央には、穴部が設けられている。第１の筐体４２は、可動部４１が上記の穴部を貫通するように載置される。可動部４１は、基板４３上を水平移動する。第１の筐体４２に設けられた穴部により決められる操作領域内において、可動部４１は、略水平方向に移動する。
【０１６１】
弾性体４５は、板状の形状を有しており、例えば、ゴム板であってもよい。可動部４１の底面側（回路基板４４側）は、弾性体４５の第１の筐体４２側に接着されている。また、弾性体４５の第１の筐体４２側において可動部４１と接していない領域には、複数個の支持体５０の一端が接着されている。また、支持体５０の他端は、第１の筐体４２の回路基板４４側に固定されている。なお、支持体５０の個数および可動部２１に対する接続位置は、可動部４１における原点以外の任意の位置からの原点復帰が可能であれば、任意であってよい。
【０１６２】
可動部４１が略水平移動し、基板４３上の原点以外の位置に移動すると、弾性体４５が伸縮する。その後、可動部４１を原点以外の位置に支持する外部の力が加わらない場合、弾性体４５の弾性力により可動部４１は原点に復帰する。
【０１６３】
また、水平方向センサ５４は、基板４３上に、検出する方向に応じて所定数設けられている。水平方向センサ５４は、可動部４１の略水平方向の変位を検出する。なお、水平方向センサ５４は、上記したように、検出方向ごとに設けられるが、所定の検出方向に複数設け、可動部４１の原点からの移動距離の差異を検出するようにしてもよい。また、可動部４１の移動距離は、カーソルの移動速度に反映されるようにしてもよい。
【０１６４】
図１３は、本発明の第２の実施形態の変形例における可動部および弾性体の形状を示す斜視図である。以下、特記しない限り図１２に示される可動部４１および弾性体４５と同様であるとして、図１３を用いて、本発明の第２の実施形態における可動部および弾性体の形状について説明する。
【０１６５】
図１３に示される可動部５１は、図１２に示される可動部４１と同様であるとする。弾性体５２は、図１３に示されているように、中央部が円盤形状であり、その円盤の側面から４本の突起が突出した板形状を有している。
【０１６６】
板形状の弾性体５２における円盤形状部分の一方の面には可動部４１が接着されている。また、各突起における可動部４１接着面側には、支持体５３の一端がそれぞれ接着されている。各支持体の５３の他端は、それぞれ筐体等に固定される。
【０１６７】
図１４は、本発明の第２の実施形態における入力装置４０の構成を示す図であり、筐体表面に対して水平方向から見た断面図である。以下、図１４を用いて、本実施形態における入力装置４０の構成および形状について説明する。
【０１６８】
回路基板４４上には、回路基板４４側から順に、入力装置４０、第１の筐体４２が載置されている。入力装置４０は、可動部４１と、基板４３と、弾性体４５と、水平方向センサ４６、４７と、垂直方向センサ４８と、導体部４９ａ、４９ｂと、を有する。
【０１６９】
回路基板４４上には、基板４３が載置されている。また基板４３には、水平方向センサ４６、４７と、垂直方向センサ４８が設置されている。
【０１７０】
板状の弾性体４５における第１の筐体４２側の面には可動部４１が接着されている。さらに、弾性体４５の第１の筐体４２側の面には、支持体５０の一端が接着されている。支持体５０の他端は第１の筐体４２に接着され、固定されている。また、弾性体４５の回路基板４４側の面には導体部４９ａ、４９ｂが接着されている。導体部４９ａは、検出方向（水平方向センサ設置方向）ごとに可動部４１に設けられており、基板４３上を摺動する。
【０１７１】
ユーザは、指先等により可動部４１に対して略水平方向に力を加えると、可動部４１は、弾性体４５の伸縮による弾性力に抗するように原点位置から略水平方向に移動する。可動部４１の略水平方向移動とともに、導体部４９ａは、基板４３上を摺動する。その結果、導体部４９ａが水平方向センサ４６あるいは水平方向センサ４７と接触すると、接触した水平方向センサは、可動部４１の略水平方向における変位を検出し、可動部４１の略水平方向における変位を示す水平方向検出信号ａを出力する。
【０１７２】
また、弾性体４５は、その弾性力に抗して略水平方向に変位した可動部４１を原点に復帰させる。つまり、ユーザが指先等により可動部４１を略水平方向に変位させると、弾性体４５が撓む。ユーザが変位させた後に可動部４１から指先等を離すと、撓んだ弾性体４５の復元力により、可動部４１は、原点に復帰する。
【０１７３】
また、ユーザは、指先等により可動部４１に対して略垂直方向に力を加え、押下すると、弾性体４５が撓み、導体部４９ｂが略垂直方向に垂下する。
【０１７４】
導体部４９ｂが垂下すると、導体部４９ｂは、垂直方向センサ４８と接触する。垂直方向センサ４８は、導体部４９ｂとの接触により可動部４１の略垂直方向における変位を検出する。垂直方向センサ４８は、検出した可動部４１の変位に基づいて、その変位を示す垂直方向検出信号ｂを出力する。なお、垂直方向センサ４８は、メタルドームであってもよいし、他の構成であってもよい。
【０１７５】
本実施形態では、例えば、表示部１１上の移動対象の移動制御は、操作部１５の略水平方向の変位に基づいて行われる。また、表示部１１の移動対象により選択されている情報の入力制御は、操作部１５の略水平方向の変位とは明確に方向が区別された操作部１５の略垂直方向の変位に基づいて行われる。従って、操作部１５の誤操作による表示部１１における誤入力等を抑制することが可能となる。
【０１７６】
なお、本実施形態では、水平方向センサは、原点を基準にして８個設けられていたが、設けられる位置および個数は上記のものに限らない。
【０１７７】
（第３の実施形態）
図１５は、本発明の第３の実施形態における入力装置を有する移動通信装置の構成を示す図である。なお、以下、特記しない限り、本実施形態における構成および動作は、第１の実施形態あるいは第２の実施形態と同様であるとする。
【０１７８】
本実施形態における入力装置６１は、可動部の他に入力指示部を有する。また、図１６は、本発明の第３の実施形態における入力装置、第１の筐体、および回路基板の形状を示す分解図である。以下、図１５および図１６を用いて、本実施形態における入力装置６１の構成および動作について説明する。
【０１７９】
本実施形態における入力装置２０は、図１の操作部１５に対応する可動部６１ｊと、基板２３と、弾性体２５と、水平方向センサ３４と、垂直方向センサ５５と、を有する。回路基板２４上には、回路基板２４側から順に、基板２３、可動部６１ｊ、第１の筐体２２が水平に載置されている。
【０１８０】
本実施形態における入力装置６１は、可動部６１ｊ上に複数の入力指示部を有する。各入力指示部は、略垂直方向へ変位可能となっている。基板２３上には、水平方向センサ３４に加えて、各入力指示部の略垂直方向への変位を検出する垂直方向センサ５５が設けられている。
【０１８１】
図１７は、本発明の第３の実施形態における入力装置６１の形状を示す平面図である。以下、図１７を用いて、本実施形態における入力装置の構成および動作について説明する。
【０１８２】
入力装置６１は、入力指示部６１ａ〜６１ｉと、可動部６１ｊと、操作領域１６と、を有する。可動部６１ｊの構成および動作は、第１あるいは第２の実施形態における可動部と同様であり、操作領域１６内において略水平方向に移動可能である。また、可動部６１ｊは、略垂直方向にも変位する。
【０１８３】
入力指示部６１ｉは、入力装置６１（可動部６１ｊ）の中央部に設けられている。また、入力指示部６１ａ〜６１ｈは、それぞれ入力指示部６１ｉを示す面の外周（あるいは可動部６１ｊの内周）に沿って、可動部６１ｊ上に設けられている。
【０１８４】
また、入力指示部６１ａ〜６１ｉおよび可動部６１ｊは、互いに独立して略垂直方向に移動可能である。入力指示部６１ａ〜６１ｉが略垂直方向に変位すると、入力指示部６１ａ〜６１ｉごとに設けられた垂直方向センサ（図示せず）がその変位を検出し、所定の検出信号を出力する。ＣＰＵは、上記の検出信号の入力に基づいて、表示制御部に表示部１１上の情報表示に係る指示を出す。表示制御部は、上記の指示に基づいて表示部１１上の移動対象の変位を制御する。従って、ユーザは、入力指示部６１ａ〜６１ｉと可動部６１ｊとを組み合わせて操作することによって、表示部１１上の情報入力を容易に行うことが可能となる。
【０１８５】
ＣＰＵは、入力指示部６１ａ〜６１ｉの変位に基づいて移動対象の移動方向制御および情報入力制御を行ってもよい。例えば、ユーザが指先等により入力指示部６１ｂを押下すると、原点を基準として押下された入力指示部６１ｂが設けられている方向に設置されている水平方向センサのみ検出可能となる。（あるいは、上記の方向にのみ可動部６１ｊを略平行方向に移動することを可能としてもよい）。すなわち、入力指示部を押下することによって、水平方向センサによる検出動作のＯＮ／ＯＦＦを行うことができる。従って、所定の方向に表示部１１の移動対象を移動させる場合、上記の所定の方向以外の方向へ移動対象を移動させてしまうといった誤操作を抑制することが可能となる。特に、縦横方向と斜め方向との間における誤操作を容易に抑制することが可能となる。
【０１８６】
また、表示部１１上の移動対象が複数存在する場合、入力指示部６１ａ〜６１ｉおよび可動部６１ｊとを組み合わせて以下のように移動対象を制御してもよい。例えば、表示部１１に表示されている情報の種類に基づいて、ＣＰＵが可動部６１ｊにカーソル移動、入力指示部６１ａ〜６１ｈに画面全体のスクロールをそれぞれ割り当てるようにしてもよい。上記のように割り当てることによって、複数の移動対象を使い分ける場合、その都度切り替える手間を省き、入力装置における操作性を向上させることが可能となる。また、表示部１１に表示される画面間の遷移も含めて、他の組み合わせで割り当てるようにしてもよい。また、ユーザ自身の入力により移動対象の割り当ての設定を行ってもよい。
【０１８７】
なお、本実施形態では、入力指示部６１ｉは可動部６１ｊ中央に、入力指示部６１ａ〜６１ｈは可動部６１ｊ内周に沿って設けられていたが、設けられる位置および個数は上記のものに限らない。また、入力指示部は、原点を基準として水平方向センサが設置されている方向ごとに設けられるとしてもよい。
【０１８８】
（第４の実施形態）
図１８は、本発明の第４の実施形態における入力装置を有する移動通信端末の構成を示す図である。なお、以下、特記しない限り、本実施形態における構成および動作は、第１の実施形態あるいは第２の実施形態と同様であるとする。
【０１８９】
第１の実施形態における入力装置２０では、略水平方向へ変位する部位と略垂直方向へ変位する部位とが一体的に構成されていた。本実施形態における入力装置６２は、略水平方向方向へ変位する部位と略垂直方向へ変位する部位とを独立して有している。図１９は、本発明の第４の実施形態における入力装置６２を示す斜視図である。また、図２０は、本発明の第４の実施形態における入力装置６２を示す分解図である。以下、図１８、図１９、および図２０を用いて、本実施形態における入力装置の構成および動作について説明する。
【０１９０】
入力装置６２は、可動部６２ａ、６２ｂと、基板２３と、水平方向センサ５６と、を有する。可動部６２ａは、板形状を有し、中央部には、穴部が設けられている。基板２３上には、可動部６２ｂと水平方向センサ５６とが設けられている。可動部６２ｂは、略垂直方向に移動可能である（略水平方向には移動しないものとする）。可動部６２ａは、穴部が可動部６２ｂにより貫通されるように、基板２３上に載置される。可動部６２ａは、基板２３上を略水平方向に移動可能である。水平方向センサ５６は、可動部６２ａの略水平方向への変位を検出する。
【０１９１】
本実施形態では、例えば、表示部１１上の移動対象の移動制御は、可動部６２ａの略水平方向の変位に基づいて行われる。また、表示部１１の移動対象により選択されている情報の入力制御は、可動部６２ａの略水平方向の変位とは明確に方向が区別された可動部６２ｂの略垂直方向の変位に基づいて行われる。従って、操作部６２の誤操作による表示部１１における誤入力等を抑制することが可能となる。
【０１９２】
なお、本実施形態では、水平方向センサは、原点を基準にして８個設けられていたが、設けられる位置および個数は上記のものに限らない。
【０１９３】
（第５の実施形態）
図２１は、本発明の第５の実施形態における入力装置を有する移動通信端末の構成を示す図である。なお、以下、特記しない限り、本実施形態における構成および動作は、第１の実施形態あるいは第２の実施形態と同様であるとする。
【０１９４】
本実施形態における入力装置６３には、本発明の第１の実施形態における操作部に加え、入力指示部が設けられている。また、図２２は、本発明の第５の実施形態における入力装置６３を示す平面図である。以下、図２１および図２２を用いて、本実施形態における入力装置６３の構成および動作について説明する。
【０１９５】
入力装置６３は、入力指示部６３ａ〜６３ｈと、可動部６３ｉと、操作領域１６と、を有する。可動部６３ｉの構成および動作は、第１あるいは第２の実施形態における可動部と同様であり、操作領域１６内において略水平方向に移動可能である。また、可動部６３ｉは、略垂直方向にも変位する。
【０１９６】
入力指示部６３ａ〜６３ｈは、それぞれ可動部６２ｂの底面の外周に沿って、可動部６３ｉとは独立して設けられている。また、入力指示部６３ａ〜６３ｈは、それぞれ可動部６３ｉとは独立して略垂直方向に移動可能である。また、入力指示部６３ａ〜６３ｈは、互いに独立して略垂直方向に移動可能となっている。入力指示部６３ａ〜６３ｈが略垂直方向に変位すると、入力指示領域ごとに設けられた垂直方向センサ（図示せず）がその変位を検出し、所定の検出信号を出力する。ＣＰＵは、上記の検出信号の入力に基づいて、表示制御部に表示部１１上の情報表示に係る指示を出す。表示制御部は、上記の指示に基づいて表示部１１上の移動対象の変位を制御する。従って、ユーザは、入力指示部６３ａ〜６３ｈと可動部６３ｉとを組み合わせて操作することによって、表示部１１上の情報入力を容易に行うことが可能となる。
【０１９７】
ＣＰＵは、入力指示部６３ａ〜６３ｈの変位に基づいて移動対象の移動方向制御を行ってもよい。例えば、ユーザが指先等により入力指示部６３ｂを押下すると、原点を基準として押下された入力指示部６３ｂが設けられている方向に設置されている水平方向センサのみ検出可能としてもよい（あるいは、上記の方向にのみ可動部６３ｉが移動可能としてもよい）。すなわち、入力指示部を押下することによって、水平方向センサによる検出動作のＯＮ／ＯＦＦを行うことができる。従って、所定の方向に表示部１１の移動対象を移動させる場合、上記の所定の方向以外の方向へ移動対象を移動させてしまうといった誤操作を抑制することが可能となる。特に、縦横方向と斜め方向との間における誤操作を容易に抑制することが可能となる。
【０１９８】
また、本発明の第３の実施形態と同様に、可動部６３ｉと入力指示部６３ａ〜６３ｈとに所定の移動対象（カーソル、画面全体、あるいはページ単位の情報等）を割り当てることによって、表示部１１上の複数の移動対象を容易に移動させることが可能となる。
【０１９９】
また、本実施形態では、略水平方向および略垂直方向へ移動可能な可動部６３ｉの周辺に入力指示部６３ａ〜６３ｈが設けられていたが、本発明の第４の実施形態において説明した略水平方向へ変位する部位と略垂直方向へ変位する部位とが独立して構成されている操作部の周辺に入力指示部を設けてもよい。図２３は、本発明の第５の実施形態の変形例における操作部を示す図である。以下、図２３を用いて、本実施形態の変形例における操作部の構成および動作について説明する。なお、以下、特記しない限り、本実施形態の変形例における構成および動作は、本発明の第５の実施形態と同様であるとする。
【０２００】
操作部は、可動部６２ａ、６２ｂと、基板２３と、入力指示部６３ａ〜６３ｈと、を有する。可動部６２ａは、板形状を有し、中央部には、穴部が設けられている。基板２３上には、可動部６２ｂが設けられている。可動部６２ｂは、略垂直方向に移動可能である（略水平方向には移動しないものとする）。可動部６２ａは、穴部が可動部６２ｂにより貫通されるように、基板２３上に載置される。可動部６２ａは、基板２３上を略水平方向に移動可能である。入力指示部６３ａ〜６３ｈは、それぞれ可動部６２ａの底面の外周に沿って、可動部６２ａ、６２ｂとは独立して設けられている。なお、本実施形態の変形例における操作部は、本発明の第５の実施形態における操作部と同様の表示部１１上の移動対象への制御を行うものとする。
【０２０１】
なお、本実施形態では、入力指示部６３ａ〜６３ｈは、可動部６２ａの底面の外周に沿って８個設けられていたが、設けられる位置および個数は上記のものに限らない。また、入力指示部は、原点を基準として水平方向センサが設置されている方向ごとに設けられるとしてもよい。
【０２０２】
（第６の実施形態）
図２４は、本発明の第６の実施形態における入力装置を有する移動通信端末の構成を示す図である。なお、以下、特記しない限り、本実施形態における構成および動作は、第１の実施形態あるいは第２の実施形態と同様であるとする。
【０２０３】
本実施形態における入力装置６４には、本発明の第１の実施形態における操作部に加え、入力指示部が設けられている。また、図２５は、本発明の第６の実施形態における入力装置６４を示す図である。以下、図２４および図２５を用いて、本実施形態における入力装置の構成および動作について説明する。
【０２０４】
入力装置６４は、可動部６５と、入力指示部６６と、操作領域１６と、を有する。可動部６５の構成および動作は、第１あるいは第２の実施形態における可動部と同様であり、操作領域１６内において略水平方向に移動可能である。また、可動部６５は、略垂直方向にも変位する。
【０２０５】
入力指示部６６は、操作領域１６を示す面の外周に沿って形成されており、環状形状を有する。また、入力指示部６６は、可動部６５とは独立して略垂直方向に移動可能である。
【０２０６】
また、入力指示部６６の表面は、複数の領域に分割されており、分割された領域を、それぞれ入力指示領域６６ａ〜６６ｈとする。入力指示領域６６ａ〜６６ｈのうちのいずれかが略垂直方向に変位すると、入力指示領域ごとに設けられた垂直方向センサ（図示せず）がその変位を検出し、所定の検出信号を出力する。ＣＰＵは、上記の検出信号の入力に基づいて、表示制御部に表示部１１上の情報表示に係る指示を出す。表示制御部は、上記の指示に基づいて表示部１１上の移動対象の変位を制御する。従って、ユーザは、入力指示部６６と可動部６５とを組み合わせて操作することによって、表示部１１上の情報入力を容易に行うことが可能となる。
【０２０７】
ＣＰＵは、入力指示領域６６ａ〜６６ｈの変位に基づいて移動対象の移動方向制御を行ってもよい。例えば、ユーザが指先等により入力指示領域６６ｂ近傍を押下すると、原点を基準として押下された入力指示領域６６ｂが設けられている方向に設置されている水平方向センサのみ検出可能としてもよい（あるいは、上記の方向にのみ可動部６５が移動可能としてもよい）。すなわち、入力指示部を押下することによって、水平方向センサによる検出動作のＯＮ／ＯＦＦを行うことができる。従って、所定の方向に表示部１１の移動対象を移動させる場合、上記の所定の方向以外の方向へ移動対象を移動させてしまうといった誤操作を抑制することが可能となる。特に、縦横方向と斜め方向との間における誤操作を容易に抑制することが可能となる。
【０２０８】
また、本発明の第３の実施形態と同様に、可動部６５と入力指示部６６とに所定の移動対象（カーソル、画面全体、あるいはページ単位の情報等）を割り当てることによって、表示部１１上の複数の移動対象を容易に移動させることが可能となる。
【０２０９】
また、本実施形態では、略水平方向および略垂直方向へ移動可能な可動部６５の周辺に入力指示部６６が設けられていたが、本発明の第４の実施形態において説明した略水平方向へ変位する部位と略垂直方向へ変位する部位とが独立して構成されている操作部の周辺に入力指示部を設けてもよい。図２６は、本発明の第６の実施形態の変形例における操作部を示す図である。以下、図２６を用いて、本実施形態の変形例における操作部の構成および動作について説明する。なお、以下、特記しない限り、本実施形態の変形例における構成および動作は、本発明の第６の実施形態と同様であるとする。
【０２１０】
操作部は、可動部６２ａ、６２ｂと、基板２３と、入力指示部６６と、を有する。可動部６２ａは、板形状を有し、中央部には、穴部が設けられている。基板２３上には、可動部６２ｂが設けられている。可動部６２ｂは、略垂直方向に移動可能である（略水平方向には移動しないものとする）。可動部６２ａは、穴部が可動部６２ｂにより貫通されるように、基板２３上に載置される。可動部６２ａは、基板２３上を略水平方向に移動可能である。入力指示部６６は、可動部６５の底面の外周に沿って、可動部６５とは独立して設けられている。なお、本実施形態の変形例における操作部は、本発明の第６の実施形態における操作部と同様の表示部１１上の移動対象への制御を行うものとする。
【０２１１】
なお、本実施形態では、入力指示領域６６ａ〜６６ｈは、入力指示部６６の底面の外周（あるいは内周）に沿って８個設けられていたが、設けられる位置および個数は上記のものに限らない。また、入力指示領域は、原点を基準として水平方向センサが設置されている方向ごとに設けられるとしてもよい。
【０２１２】
なお、上記の第１から第６の実施形態における可動部、入力指示部、入力指示部、操作領域、および基板等の底面（表面）は円形状であってもよいし、多角形形状であってもよいし、他の形状であってもよい。
【０２１３】
また、入力装置を有する移動通信端末は、情報を画面表示する処理と、操作部の略水平方向への変位および略垂直方向への変位を検出する処理と、入力指示部の略垂直方向への変位を検出する処理と、検出した操作部および入力指示部の変位に基づいて、移動対象の制御を行う処理と、移動対象により選択された情報を入力する処理と、検出した入力指示部の変位に基づいて、操作部の変位検出のＯＮ／ＯＦＦ制御を行う処理と、移動対象が複数存在する場合、表示される情報に基づいて、操作部および入力指示部等に対し、制御する移動対象を割り当てる処理と、を行う。上記の処理は、入力装置が有するコンピュータプログラムにより実行されるが、上記のプログラムは、光ディスクあるいは磁気ディスク等の記録媒体に記録され、上記の記録媒体からロードされるようにしてもよいし、所定のネットワークを介して接続されている外部機器からロードされるようにしてもよい。
【０２１４】
なお、上記の実施形態は本発明の好適な実施の一例であり、本発明の実施形態は、これに限定されるものではなく、本発明の要旨を逸脱しない範囲において種々変形して実施することが可能となる。
【０２１５】
【発明の効果】
以上、説明したように、本発明によれば、操作部の縦横方向（ＸＹ方向）における変位だけではなく、ＸＹ方向に対して斜め方向における変位を検出することによって、表示部上の移動対象の斜め方向への移動制御を容易かつ精度よく行うことが可能となる。
【０２１６】
また、本発明によれば、表示部上の移動対象の移動制御は、操作部の略水平方向の変位に基づいて行われる。また、表示部の移動対象により選択されている情報の入力制御は、操作部の略水平方向の変位とは明確に方向が区別された操作部の略垂直方向の変位に基づいて行われる。従って、操作部の誤操作による表示部上における誤入力等を抑制することが可能となる。
【０２１７】
また、本発明によれば、基板上に、原点を基準として同方向に複数の水平方向センサを設けることによって、操作部の移動距離を検出することが可能となり、目的に応じた表示部上における移動対象制御を行うことが可能となる。
【０２１８】
また、本発明によれば、操作部と入力指示部とを組み合わせて用いて、水平方向センサの検出のＯＮ／ＯＦＦを制御することによって、操作部による略水平方向への誤操作を抑制することが可能となる。
【０２１９】
また、本発明によれば、移動対象が複数存在する場合、操作部および入力指示部に上記の複数の移動対象の制御を割り当てることによって、制御する移動対象を切り替えることなく、容易に移動対象の制御を行うことが可能となる。
【図面の簡単な説明】
【図１】本発明の第１の実施形態における入力装置を有する移動通信端末の構成を示す図である。
【図２】本発明の第１の実施形態における入力装置、第１の筐体、および回路基板の形状を示す斜視図である。
【図３】本発明の第１の実施形態における入力装置、第１の筐体、および回路基板の形状を示す分解図である。
【図４】本発明の第１の実施形態における入力装置を示す平面図である。
【図５】本発明の第１の実施形態における入力装置を示す平面図である。
【図６】本発明の第１の実施形態における入力装置を示す平面図である。
【図７】本発明の第１の実施形態における入力装置を示す断面図である。
【図８】本発明の第１の実施形態における入力装置の制御を示すブロック図である。
【図９】本発明の第１の実施形態において可動部が略水平方向に移動する場合における入力装置の動作の流れを示すフローチャートである。
【図１０】本発明の第１の実施形態において可動部が略垂直方向に移動する場合における入力装置の動作の流れを示すフローチャートである。
【図１１】本発明の第２の実施形態における入力装置、第１の筐体、および回路基板の形状を示す斜視図である。
【図１２】本発明の第２の実施形態における入力装置、第１の筐体、および回路基板の形状を示す分解図である。
【図１３】本発明の第２の実施形態の変形例における可動部および弾性体の形状を示す斜視図である。
【図１４】本発明の第２の実施形態における入力装置を示す断面図である。
【図１５】本発明の第３の実施形態における入力装置を有する移動通信端末の構成を示す図である。
【図１６】本発明の第３の実施形態における入力装置、第１の筐体、および回路基板の形状を示す分解図である。
【図１７】本発明の第３の実施形態における入力装置の形状を示す平面図である。
【図１８】本発明の第４の実施形態における入力装置を有する移動通信端末の構成を示す図である。
【図１９】本発明の第４の実施形態における入力装置の形状を示す斜視図である。
【図２０】本発明の第４の実施形態における入力装置の形状を示す分解図である。
【図２１】本発明の第５の実施形態における入力装置を有する移動通信端末の構成を示す図である。
【図２２】本発明の第５の実施形態における入力装置の形状を示す平面図である。
【図２３】本発明の第５の実施形態の変形例における入力装置の形状を示す斜視図である。
【図２４】本発明の第６の実施形態における入力装置を有する移動通信端末の構成を示す図である。
【図２５】本発明の第６の実施形態における入力装置の形状を示す平面図である。
【図２６】本発明の第６の実施形態の変形例における入力装置の形状を示す斜視図である。
【図２７】本発明の第１の実施形態において、移動対象がカーソルである場合の表示部の画面構成を示す図である。
【図２８】（ａ）は、本発明の第１の実施形態において、表示部に表示される画面情報を示す図であり、（ｂ）は、本発明の第１の実施形態において、移動対象が表示画面である場合の表示部の画面構成を示す図である。
【符号の説明】
９  ヒンジ
１０Ａ、２２  第１の筐体
１０Ｂ  第２の筐体
１１、３９  表示部
１２  マイクロフォン
１３  スピーカ
１４  アンテナ
１５  操作部
２０、４０、６１、６２、６３、６４  入力装置
１６、３２  操作領域
６１ａ〜６１ｉ、６３ａ〜６３ｈ、６６  入力指示部
６６ａ〜６６ｈ  入力指示領域
２１、４１、５１、６２ａ、６２ｂ、６３ｉ、６５  可動部
２１ａ  水平方向可動部
２１ｂ  垂直方向可動部
２２、４２  筐体
２３、４３  基板
２４、４４  回路基板
２５、４５、５２  弾性体
２６、２７、２６ａ〜２６ｈ、２７ａ〜２７ｈ、３４、３５、４６、４７、５４、５６  水平方向センサ
２８、３６、４８、５５  垂直方向センサ
２９、２９ａ〜２９ｈ、４９ａ、４９ｂ  導体部
３０  可撓部位
３１  原点
３３  原点位置
３７  ＣＰＵ
３８  表示制御部
５０、５３  支持体
７０  表示画面
７１、７２  アイコン
７３、７４、８３、Ａ１、Ａ２  矢印
８０  画面情報
８１  点線枠
８２  実線枠
ａ  水平方向検出信号
ｂ  垂直方向検出信号
【図１】
0004604423.tif 000002
【図２】
0004604423.tif 000003
【図３】
0004604423.tif 000004
【図４】
0004604423.tif 000005
【図５】
0004604423.tif 000006
【図６】
0004604423.tif 000007
【図７】
0004604423.tif 000008
【図８】
0004604423.tif 000009
【図９】
0004604423.tif 000010
【図１０】
0004604423.tif 000011
【図１１】
0004604423.tif 000012
【図１２】
0004604423.tif 000013
【図１３】
0004604423.tif 000014
【図１４】
0004604423.tif 000015
【図１５】
0004604423.tif 000016
【図１６】
0004604423.tif 000017
【図１７】
0004604423.tif 000018
【図１８】
0004604423.tif 000019
【図１９】
0004604423.tif 000020
【図２０】
0004604423.tif 000021
【図２１】
0004604423.tif 000022
【図２２】
0004604423.tif 000023
【図２３】
0004604423.tif 000024
【図２４】
0004604423.tif 000025
【図２５】
0004604423.tif 000026
【図２６】
0004604423.tif 000027
【図２７】
0004604423.tif 000028
【図２８】
0004604423.tif 000029